(57)【特許請求の範囲】
【請求項１】
左右の靴のいずれか一方の靴の踵の立ち上がり部外側の該靴の最後部となる中央部の垂直位置に紐状又は帯状の短尺連結部材を回動自在に固定し、該短尺連結部材の固定側となる一方端部は回動自在に軸着する軸着部とし、他方端部は該軸着部の真上方、真下方又は水平位置となる側方のいずれかに設けた歩行用係止部に着脱自在に係合する係合部及び他方の靴の踵の立ち上がり部外側の該靴の最後部となる中央部の一方の靴の軸着部と同一の高さの垂直位置に設けた連結用係止部に着脱自在に係合する係合部とし、該短尺連結部材を歩行用係止部に係合することにより左右の独立した状態の靴とし、連結用係止部での係合により左右の連結した状態の靴としてなることを特徴とする連結手段を設けた靴。
【請求項２】
左右の靴の双方の踵の立ち上がり部外側の該靴の最後部となる中央部の垂直位置に紐状又は帯状の短尺連結部材を回動自在に固定し、該短尺連結部材の固定側となる各々の一方端部は回動自在に軸着する軸着部とし、各々の他方端部は該軸着部の真上方、真下方又は水平位置となる側方のいずれかに設けた歩行用係止部に着脱自在に係合する係合部及び双方の短尺連結部材を相互に連結する連結用係止部としての着脱自在に係合する係合部とし、双方の該短尺連結部材を各々の歩行用係止部に係合することにより左右の独立した状態の靴とし、連結用係止部での係合により左右の連結した状態の靴としてなることを特徴とする連結手段を設けた靴。
【請求項３】
短尺連結部材は、その長さ寸法を、左右の靴の外側側面を接し或いは近接した並設状態でのいずれか一方の靴に設けたものにあっては軸着部と連結用係止部間の寸法、双方の靴に設けたものにあっては軸着部間の寸法と同一又はそれより長く形成してなることを特徴とする請求項１又は２記載の連結手段を設けた靴。
【請求項４】
短尺連結部材は、持ち運び手段、左右の靴をそろえて整合する整合手段、壁面等への係止部に引っ掛けて吊り下げる保管手段或いは靴の表面側を積極的に露出させる判別及び立体装飾手段としてなることを特徴とする請求項１乃至３のいずれか記載の連結手段を設けた靴。
【発明の詳細な説明】
【技術分野】
【０００１】
本発明は、左右の靴のいずれか或いは双方に左右の靴を一体化するための着脱自在の連結手段を設けた靴に関する。
【背景技術】
【０００２】
左右の靴は、利用者の左右の足に合うようにその各々の形状を異にして製造され、使用時はその左右の靴を間違えることなく履き込んでいる。しかし、左右の靴に左右を区別する特徴のない場合が多く或いは子供が使用する場合等においては左右を間違って履いてしまうことが生じている。
【０００３】
上記左右の靴の履き間違えを防止するためには、その各々の靴の形状に特徴をもたせるか、靴に目印や模様、異なる色彩をもたせる等の対応をしていた。
【０００４】
また、靴を持ち運ぶ場合、左右の靴の踵の立ち上がりとなる背面内側に人差し指や中指を差し込んで両者の外側壁面が接するようにたぐり寄せて持ち運ぶことがほとんどであった。
【０００５】
また、特許文献１のように、左右の靴を持ち運ぶための手段として簡易な袋状のものが考えられている。
【０００６】
上記持ち運びの場合、前者のように直接手で運ぶ場合にあっては、靴の内側に指を入れて運ぶことになるので、靴の内側壁に染み付いている臭いや汚れが指に付着し、不快な思いをすることがあったし、また、後者の袋状のものを使用する場合にあっては、運搬手段として別途用意しておかなくてはならず、煩わしいものであった。
【０００７】
更に、左右の靴の使用後において、玄関や飲食店等の出入口等の狭い空間に左右の靴がバラバラに脱ぎ捨てられるため、当該場所が雑然とし、見た目が悪いばかりか配置効率が悪く、且つ、靴を間違える原因ともなっていた。
【０００８】
また、一般家庭での靴の保管時において保管場所に困ることが多く、且つ、保管した靴がどの種類の靴なのかの確認をするために、そのつど棚等の載置部から引き出す必要があった。
【０００９】
更に、未使用の靴、装飾や色彩が施されたきれいな靴等を装飾手段として積極的に飾り付けることはなかった。
【先行技術文献】
【特許文献】
【００１０】
【特許文献１】実用新案登録第３０５１５４６号公報
【発明の概要】
【発明が解決しようとする課題】
【００１１】
本発明は、上記欠点を解決したもので、左右の靴のいずれか或いは双方に左右の靴を一体化するための着脱自在の連結手段を設けることにより靴の持ち運び、整合、保管及び装飾等を可能としたものである。
【課題を解決するための手段】
【００１２】
本発明は、左右の靴のいずれか一方の靴の踵の立ち上がり部外側の該靴の最後部となる中央部の垂直位置に紐状又は帯状の短尺連結部材を回動自在に固定し、該短尺連結部材の固定側となる一方端部は回動自在に軸着する軸着部とし、他方端部は該軸着部の真上方、真下方又は水平位置となる側方のいずれかに設けた歩行用係止部に着脱自在に係合する係合部及び他方の靴の踵の立ち上がり部外側の該靴の最後部となる中央部の一方の靴の軸着部と同一の高さの垂直位置に設けた連結用係止部に着脱自在に係合する係合部とし、該短尺連結部材を歩行用係止部に係合することにより左右の独立した状態の靴とし、連結用係止部での係合により左右の連結した状態の靴としてなる連結手段を設けた靴を特徴とする。
【００１３】
また、左右の靴の双方の踵の立ち上がり部外側の該靴の最後部となる中央部の垂直位置に紐状又は帯状の短尺連結部材を回動自在に固定し、該短尺連結部材の固定側となる各々の一方端部は回動自在に軸着する軸着部とし、各々の他方端部は該軸着部の真上方、真下方又は水平位置となる側方のいずれかに設けた歩行用係止部に着脱自在に係合する係合部及び双方の短尺連結部材を相互に連結する連結用係止部としての着脱自在に係合する係合部とし、双方の該短尺連結部材を各々の歩行用係止部に係合することにより左右の独立した状態の靴とし、連結用係止部での係合により左右の連結した状態の靴としてなる連結手段を設けた靴を特徴とする。
【００１４】
更に、上記短尺連結部材は、その長さ寸法を、左右の靴の外側側面を接し或いは近接した並設状態でのいずれか一方の靴に設けたものにあっては軸着部と連結用係止部間の寸法、双方の靴に設けたものにあっては軸着部間の寸法と同一又はそれより長く形成してなる連結手段を設けた靴を特徴とする。
【００１５】
また、上記短尺連結部材は、持ち運び手段、左右の靴をそろえて整合する整合手段、壁面等への係止部に引っ掛けて吊り下げる保管手段或いは靴の表面側を積極的に露出させる判別及び立体装飾手段としてなる連結手段を設けた靴を特徴とする。
【発明の効果】
【００１６】
左右の靴を該靴に設けた短尺連結部材により連結し、該短尺連結部材のほぼ中央を指や手を掛けて或いは手を回し込んで持つことにより移動させる持ち運び手段とすることができ、また、左右の靴をそろえる整合手段とすることができ、更に、壁面等の係止部に引っ掛けて吊り下げ保管する保管手段とすることができ、また、靴の表面側を露出させることにより靴の種類が一目瞭然となり、靴の選択を極めて容易とすることが可能となった。
【００１７】
また、左右のいずれか一方の靴又は双方の靴に短尺連結部材を固定することにより、左側の靴の該短尺連結部材は時計回り方向に、右側の靴の該短尺連結部材は反時計回り方向にのみ回転できるようにすることで、子供にありがちな靴の左右を間違えることがなくなった。
【００１８】
更に、短尺連結部材を使用することにより、子供靴のように装飾や様々な色彩が施された可愛い靴の飾り付けを左右並べて行うことが可能となった。特に、子供靴の場合、事前に贈与を受けたり購入してから未だ使用するには至っていない靴、或いは使用していたが小さくなって履くことができなくなってしまった靴等を並べて飾ることで立体的装飾効果のある装飾手段とすることができると同時に、子供の成長を実感できる証としての役割を成すことができる。並べて飾る手段としては、壁面に吊り下げる場合、透明なプラスチック容器等に収納し可視可能に飾る場合、広い棚や机に載置する場合等適宜手段で行うことができる。
【図面の簡単な説明】
【００１９】
【図１】本発明の連結手段を設けた靴の踵部の背面側を示す正面図。
【図２】本発明の連結手段を設けた靴を手により持ち運んでいる状態を示す図。
【図３】（ａ）、（ｂ）本発明の連結手段を設けた靴を並べて連結した状態を示す正面図。
【図４】本発明の連結手段を設けた靴を連結して壁面に吊るして保管した状態を示す正面図。
【図５】本発明の連結手段を設けた靴を連結して壁面に飾り付けた状態を示す正面図。
【図６】本発明の連結手段を設けた靴の他の実施例の側面図。
【図７】本発明の連結手段を設けた靴の他の実施例の踵部の背面側を示す正面図。
【図８】本発明の連結手段を設けた靴の他の実施例の踵部の背面側を示す正面図。
【発明を実施するための形態】
【００２０】
以下、図面を参照して本発明の実施の形態を詳細に説明する。
【実施例１】
【００２１】
図１は、本発明の連結手段を設けた靴１の踵側となる外側背面を示した図で、左側の靴１ａの踵部２ａの下方に、紐状又は帯状の布、皮、合成樹脂等の可撓性のある材料を採用した短尺連結部材３の一方端部３ａを回動自在に軸着部４に軸着している。
【００２２】
該短尺連結部材３は、左右の靴１ａ、１ｂを歩行手段として使用する場合の非連結状態時には、左側踵部２ａの上方に設けた歩行用の係止部５に着脱自在に他方端部３ｂを係止しておき、通常の歩行時の靴として使用することができる。該軸着部４と歩行用係止部５との間隔は、左側踵部２ａの高さに応じて、短寸法となったり長寸法となる事が生じるが、間隔が短寸法の場合、両者間の短尺連結部材３にたるみが生じるように係止することになる。
【００２３】
上記左側の靴１ａに設けた短尺連結部材３を軸着部４を中心として時計回り方向にのみほぼ９０度の回動自在としておくことで、該短尺連結部材３を歩行用係止部５から脱着し、右側の靴１ｂの連結用係止部６に係止することができる。連結時には必ず左側の靴１ａの右側に右側の靴１ｂが位置することになり、靴の左右を間違えることなく連結することができる。従って、使用時には該短尺連結部材３の他方端部３ｂと該連結用係止部６との係止を解除し、該他方端部３ｂを歩行用係止部５に係止しておくことで左右の靴を間違えることなく、直ちに使用することが可能となる。
【００２４】
上記短尺連結部材３の回転方向を一定化しておくことは、特に子供用に有効であるが、その回転方向を時計回り方向のみに限定するものではない。
【００２５】
該右側の靴１ｂの右側踵部２ｂの下方に、該短尺連結部材３の他方端部３ｂの連結用係止部６が設けてあり、該連結用係止部６は、短尺連結部材３の他方端部３ｂを着脱自在に係止できるものであれば、上記左側の靴１ａの歩行用係止部５と同様、ホック、ファスナー、ボタン等の様々な係止手段が採用できる。
【００２６】
上記短尺連結部材３は、左側の靴１ａの歩行用係止部５に係止した歩行時の状態では靴１ａの踵部の背面側の位置となるので利用者の歩行に支障が生じることはない。また、短尺連結部材３の色を靴の色と同色にしておくことにより目立たないようにすることができるし、逆に、目立つ色を採用することや各種模様を施すことにより左右の靴１ａ、１ｂの踵部の違いを積極的にアピールし、おしゃれな靴、特徴のある靴とすることができる。
【００２７】
図２は、短尺連結部材３で左右の靴１ａ、１ｂを連結したものを手の指で引っ掛けて持ち運んでいる状態を示している。靴の踵部２の背面側は円弧状に形成されているので該踵部２と短尺連結部材３とによりほぼ逆三角形状の空間が形成されることになり、両者の中心部となる短尺連結部材３の中央部は逆三角形状の頂点に向けた高さ寸法が得られる位置となり、指や手を引っ掛けやすく、且つ、靴の長手方向を上下方向として吊り下げることができるので持ち運びし易い状態となる。
【００２８】
図３（ａ）、（ｂ）は、左右の靴１ａ、１ｂを短尺連結部材３で連結して並べた状態を示す正面図である。該短尺連結部材３を使用することにより、左右の靴１ａ、１ｂが離れることなく整然とそろえて並べることができる。例えば、子供靴の乱雑に置かれた従来の状態を解消することができ、また、靴をそろえることの情操教育にも役立つものである。
【００２９】
図３（ａ）は、左右の靴１ａ、１ｂの両外側面を接触するような状態で短尺連結部材３を使用しているもので、（ｂ）は、左右の靴１ａ、１ｂの先端側が離れるようにして該短尺連結部材３を使用している。後者の場合、該短尺連結部材３を前者より短くすることが可能となる。
【００３０】
図４は、靴を保管している状態を示している。通常、靴の保管は棚に載置して保管しているが、傾斜棚を使用したとしても靴の長さ或いはそれに近い長さで靴を前方へ突出させた状態で保管しており、玄関のような狭い空間をより一層狭くする要因となっている。しかし、図４に示すように、壁面に靴１を吊り下げるための係止金具７を取り付け、左右の靴１ａ、１ｂを連結した短尺連結部材３の中央部を該係止金具７に引っ掛けることにより、壁面からは左右の靴１ａ、１ｂの高さ分だけの前方への突出となり、且つ、壁面に沿って床側から天井側にかけての上下方向で多数の靴を保管することができ、極めて有効な保管手段とすることができる。
【００３１】
靴１の裏面側の汚れが壁面に付着することを防止するために薄厚の横桟８を設け、該横桟８に係止金具７を設けておくことにより、靴１の裏面側を壁面から離すことができる。また、汚れ防止用のシート材を壁面の仕上面としておくことで掃除を容易とすることができる。
【００３２】
更に、半透明又は非透明のビニールや布状のシート状のものを靴を吊り下げた前面を開閉自在に覆うことにより、必要に応じて全体を隠蔽或いはそれに近い状態とすることができ、そのシート状のものに各種色彩や模様や絵画等を施しておくことにより装飾壁面とすることができる。
【００３３】
上記壁面に靴１を吊り下げることにより、棚等より靴１を取り出すことなく、靴１の形状、色彩、大きさ等が一目瞭然となり、使用時における靴１の判別が直ちに行えることが可能となる。
【００３４】
図５は、装飾手段としての使用例を示すものである。例えば、子供靴のように、使用する前に贈与を受けたり、購入して使用するまでに所定日数保管する必要のある靴、逆に、使用していたが子供の成長によりさほど使わない状態で小さくなって履くことのできなくなってしまった靴、或いは装飾具合や色彩等の問題で靴としては使用することのなかった靴等が多数存在しており、そのような靴は損傷のない、又は損傷が極めて少ない靴であり、それらの左右の靴を並べて壁面に飾ることにより、子供の成長の過程を視覚によって楽しむことができ、また、写真や絵画等と同様、立体飾りとしての装飾手段の役割を成すことができる。
【実施例２】
【００３５】
図６は、本発明の他の実施例となる連結手段を設けた靴１１の外側側面を示した図で、左側の靴１１ａに短尺連結部材１３を設けたもので、左側踵部１２ａの背面下方に紐状又は帯状の該短尺連結部材１３の一方端部１３ａを回動自在に軸着部１４に軸着している。
【００３６】
実施例１と同様の材料で、該短尺連結部材１３は、左右の靴１１ａ、１１ｂを歩行に使用する場合の非連結状態時には左側靴１１ａの外側側面の下方に設けた歩行用係止部１５に他方端部１３ｂを係止しておき、通常の歩行時の靴として使用することができる。靴１１ａの側部は長いので該軸着部１４と歩行用係止部１５との間隔を長くすることができ、従って、たるみを生じさせることなく短尺連結部材１３を長くすることができるので、引張させた状態で靴外側面に密着させることができ、当該部分が他と接触して危険を及ぼすことなく、通常の靴と同様に使用をすることができる。上記のように短尺連結部材１３を長くすることができるので、図７に示すように、該軸着部１４から右側の靴１１ｂの右側踵部１２ｂの下方に設けた連結用係止部１６までの寸法を長くすることができる。該短尺連結部材１３の他方端部１３ｂは、該連結用係止部１６に着脱自在に係止できるようにしている。係止手段としては、実施例１と同様、様々なものが使用できる。
【００３７】
実施例２に示す左側の靴１１ａに短尺連結部材１３を設けた場合は、軸着部１４を中心として時計回り方向にのみ回動自在としておくことによりほぼ１８０度の回転で連結用係止部１６の位置まで到達させることができ、歩行時には該短尺連結部材１３を反時計回り方向に回転させることで歩行用係止部１５の位置へ戻すことができる。右側の靴１１ｂに短尺連結部材１３の軸着部１４を設けた場合は、該短尺連結部材１３の回動自在の回転方向は反時計回り方向となる。このことにより上記実施例１と同様、左右の靴を間違えることなく、直ちに使用することができる。また、上記回転方向は、一定方向のみに限定するものではない。
【００３８】
また、左右の靴１１ａ、１１ｂを短尺連結部材１３により連結することにより、実施例１と同様、該短尺連結部材１３を靴の持ち運び手段、靴の整合手段、靴の保管手段、及び靴による装飾手段等とすることが可能である。
【実施例３】
【００３９】
上記実施例１では、左側の靴の踵部の背面下方に短尺連結部材の軸着部及び踵部の上方に歩行用係止部を設け、右側の靴に連結用係止部を設けたが、軸着部や係止部は下方に限定することなく上方でもよい。また、右側の靴の踵部背面に短尺連結部材の軸着部及び歩行用係止部を設け、左側の靴に連結用係止部を設け、短尺連結部材を反時計回り方向にのみ回転できるようにしておくことで、左右の靴の取り違えをなくすことができる他、実施例１と同様の各種効果を得ることができる。上記回転方向を一方向のみに限定するものではないことは上記実施例と同様である。
【実施例４】
【００４０】
上記実施例２では、左側の靴の踵部の背面下方に短尺連結部材の軸着部、外側側面に歩行用係止部を設け、右側の靴の踵部の背面下方に連結用係止部を設けたが、軸着部や係止部は下方に限定することなく上方でもよい。また、右側の靴の踵部の背面下方に短尺連結部材の軸着部を設け、外側側面に歩行用係止部を設け、左側の靴の踵部の背面下方に連結用係止部を設けることができる。
【００４１】
上記実施例３、４における左右の靴を短尺連結部材によって連結した後の態様は、上記実施例１、２と同様である。
【実施例５】
【００４２】
図８は、本発明の他の実施例となる上記実施例と同様の連結手段を設けた靴２１の踵側となる外側背面を示した図で、左側の靴２１ａの踵部２２ａの下方に、短尺連結部材２３の一方端部２３ａを回動自在に軸着部２４に軸着している。
【００４３】
該短尺連結部材２３の他方端部２３ｂは、歩行時態様として歩行用係止部２５に着脱自在に係止できるようにしている。
【００４４】
他方、右側の靴２１ｂの踵部２２ｂの下方に、短尺連結部材２６の一方端部２６ａを回動自在に軸着部２７に軸着している。
【００４５】
該短尺連結部材２６の他方端部２６ｂは、歩行時態様として歩行用係止部２８に着脱自在に係止できるようにしている。
【００４６】
左右の靴２１ａ、２１ｂを短尺連結部材２３、２６により連結する連結時には、該短尺連結部材２３の他方端部２３ｂを歩行用係止部２５より脱着し、同様に、該短尺連結部材２６の他方端部２６ｂを歩行用係止部２８より脱着し、左側の靴２１ａにあっては時計回り方向にほぼ９０度回転し、右側の靴２１ｂにあっては反時計回り方向にほぼ９０度回転し、双方の他方端部２３ｂ、２６ｂの係止手段を連結し、当該部分を連結用係止部２９とする。
【００４７】
該連結用係止部２９での短尺連結部材２３、２６の連結により左右の靴２１ａ、２１ｂが一体化され、持ち運び手段、左右の靴２１ａ、２１ｂをそろえて整合する整合手段、壁面等への係止部に引っ掛けて吊り下げる保管手段或いは靴２１ａ、２１ｂの表面側を積極的に露出させることによる靴の判別及び立体装飾手段とすることになる。
【００４８】
左右の靴２１ａ、２１ｂの踵部２２ａ、２２ｂの高さが低く、特に子供靴の場合はそのような状態が多く、そのような場合でも双方の短尺連結部材２３、２６を左右の靴２１ａ、２１ｂの並設時の中央部で直線となって連結することができるので、歩行時態様時に該短尺連結部材２３、２６をたるませることなく踵部２２ａ、２２ｂの外側背面に沿って歩行用係止部２５、２８に係止させることができる。
【００４９】
短尺連結部材２３、２６の回動は、上記のように一定方向に決めておくことができるし、また、自由に回動できるようにしておくことも可能である。その他、該短尺連結部材２３、２６を使用することにより実施例１と同様の効果を奏することができる。
【実施例６】
【００５０】
図６に示した実施例２と同様、靴の外側側面に短尺連結部材を設け、且つ、該短尺連結部材を左右の靴の各々に個別に設けることによって、実施例５のように、左右の靴の並設時にその中央部で各々の短尺連結部材を連結する。
【００５１】
実施例５と同様、各々の短尺連結部材の長さを短くすることができ、実施例１と同様の効果を奏することができる。
【符号の説明】
【００５２】
１、１１、２１                靴
１ａ、１１ａ、２１ａ          左側靴
１ｂ、１１ｂ、２１ｂ          右側靴
２、１２                      踵部
２ａ、１２ａ、２２ａ          左側踵部
２ｂ、１２ｂ、２２ｂ          右側踵部
３、１３、２３、２６          短尺連結部材
３ａ、１３ａ、２３ａ、２６ａ  一方端部
３ｂ、１３ｂ、２３ｂ、２６ｂ  他方端部
４、１４、２４、２７          軸着部
５、１５、２５、２８          歩行用係止部
６、１６、２９                連結用係止部
７                            係止金具
８                            横桟
【要約】
【課題】本発明は、左右の靴のいずれか或いは双方に左右の靴を一体化するための着脱自在の連結手段を設けることにより靴の持ち運び、整合、保管及び装飾等を可能としたものである。
【解決手段】左右の靴のいずれか一方の靴の踵の立ち上がり部外側に紐状又は帯状の短尺連結部材を回動自在に固定し、該短尺連結部材の固定側となる一方端部は回動自在に軸着する軸着部とし、他方端部は該軸着部の上方、下方又は側方のいずれかに設けた歩行用係止部に着脱自在に係合する係合部及び他方の靴の踵の立ち上がり部外側に設けた連結用係止部に着脱自在に係合する係合部とし、該短尺連結部材を歩行用係止部に係合することにより左右の独立した状態の靴とし、連結用係止部での係合により左右の連結した状態の靴としてなることを特徴とする連結手段を設けた靴。
【選択図】図１【図１】
0005818292.tif 000002
【図２】
0005818292.tif 000003
【図３】
0005818292.tif 000004
【図４】
0005818292.tif 000005
【図５】
0005818292.tif 000006
【図６】
0005818292.tif 000007
【図７】
0005818292.tif 000008
【図８】
0005818292.tif 000009